(57)【要約】      （修正有）【課題】構造の強度が高く、二重安全漏れ防止効果を有し、操作が便利であり、構成及び部材の構造が簡単であり、携帯性が良い使捨て式高圧ガス瓶用漏れ防止構造を提供する。【解決手段】上端に連接部１２が設けられており、連接部１２の内部に収容空間１３が設けられており、収容空間１３の内周面に内ネジ部１４が設けられており、収容空間１３の裏底面に押付け面が設けられているガス瓶本体１０と、嵌め部２１を有し、嵌め部２１の連接部１２に向く一端に開口が設けられており、嵌め部２１の開口の外周縁に延び部２３が設けられており、連接部１２の収容空間１３に組み付けられている封止部材２０と、封止部材２０の嵌め部２１に嵌め設けられている密封部材３０と、その中央には、封止部材２０の嵌め部２１を収容可能な穿孔４１が設けられており、その外周面には、ガス瓶本体１０の内ネジ部１４と螺合する外ネジ部１６が設けられている固定プラグ４０と、を含む。【選択図】図２
0003206945.tif 000002
【実用新案登録請求の範囲】
【請求項１】
上端に連接部が設けられており、前記連接部の内部に収容空間が設けられており、前記収容空間の内周面に内ネジ部が設けられており、前記収容空間の裏底面に押付け面が設けられているガス瓶本体と、
嵌め部を有し、前記嵌め部の前記連接部に向く一端に開口が設けられており、前記嵌め部の前記開口の外周縁に延び部が設けられており、前記連接部の前記収容空間に組み付けられている封止部材と、
前記封止部材の前記嵌め部に嵌め設けられている密封部材と、
中央には、前記封止部材の前記嵌め部を収容可能な穿孔が設けられており、その外周面には、前記ガス瓶本体の前記内ネジ部と螺合する外ネジ部が設けられている固定プラグと、
を含み、
前記連接部は前記ガス瓶本体と一体成形され、
前記連接部に前記固定プラグをねじ込むことにより、前記固定プラグの底面が前記密封部材と前記封止部材の前記延び部とに押付けて、気密状態になることを特徴とする使捨て式高圧ガス瓶用漏れ防止構造。
【請求項２】
前記ガス瓶本体の前記連接部の外周面に外ネジ部が設けられていることを特徴とする、請求項１に記載の使捨て式高圧ガス瓶用漏れ防止構造。
【請求項３】
前記封止部材は、一体成形され、金属を採用することを特徴とする、請求項１に記載の使捨て式高圧ガス瓶用漏れ防止構造。
【請求項４】
前記密封部材は金属を採用することを特徴とする、請求項１に記載の使捨て式高圧ガス瓶用漏れ防止構造。
【請求項５】
更に、操作部を含み、前記操作部は、前記固定プラグの外周面に設けられていることを特徴とする、請求項１に記載の使捨て式高圧ガス瓶用漏れ防止構造。
【請求項６】
前記操作部は六角形を呈することを特徴とする、請求項５に記載の使捨て式高圧ガス瓶用漏れ防止構造。
【考案の詳細な説明】
【技術分野】
【０００１】
本考案は、高圧ガス瓶の構造に関し、特に、二重安全漏れ防止効果を有する使捨て式高圧ガス瓶用漏れ防止構造に関するものである。
【背景技術】
【０００２】
使捨て式高圧ガス瓶は、携帯が便利であり、ペイントガン、自転車とオートバイと乗用車とのタイヤにガスを充填するためのものである。図４を参照する。図４は従来の使捨て式高圧ガス瓶用漏れ防止構造の組合済み状態を示す断面図である。従来の使捨て式高圧ガス瓶は、ガス瓶本体５０と、封止片６１を有するプラグ６０と、Ｏリング７０と、から構成される。ガス瓶本体５０の上端に瓶口部５１が設けられている。瓶口部５１の内部に収容空間５２が設けられている。プラグ６０の外周面にＯリング７０を組付けて、瓶口部５１の収容空間５２にプラグ６０を組付けて、瓶口部５１の端縁に形成されている止め用凸縁５３を収容空間５２へ曲げると、止め用凸縁５３がプラグ６０を止める。これにより、プラグ６０は収容空間５２から離脱できない。そしてＯリング７０が組み付けられているため、気密効果を有し、ガス瓶本体５０の内部にある高圧ガスの漏れを防止可能である。
【０００３】
プラグ６０の取付方式は、瓶口部５１の端縁に形成されている止め用凸縁５３を収容空間５２へ曲げることにより、プラグ６０を止める。止め用凸縁５３が薄く、構造の強度が低いため、屈折や断裂が発生しやすい問題がある。
【０００４】
一方、プラグ６０の外周面に配されているＯリング７０だけにより、ガスの漏れを防止する。しかし、Ｏリング７０だけにより、高圧ガスの漏れを防止できない。
【考案の概要】
【考案が解決しようとする課題】
【０００５】
本考案の主な目的は、構造の強度が高く、二重安全漏れ防止効果を有する使捨て式高圧ガス瓶用漏れ防止構造を提供することにある。
【０００６】
本考案の次の目的は、操作が便利であり、構成及び部材の構造が簡単であり、体積が小さく、携帯性が良い使捨て式高圧ガス瓶用漏れ防止構造を提供することにある。
【課題を解決するための手段】
【０００７】
本考案の使捨て式高圧ガス瓶用漏れ防止構造によると、上端に連接部が設けられており、連接部の内部に収容空間が設けられており、収容空間の内周面に内ネジ部が設けられており、収容空間の裏底面に押付け面が設けられているガス瓶本体と、
嵌め部を有し、嵌め部の連接部に向く一端に開口が設けられており、嵌め部の開口の外周縁に延び部が設けられており、連接部の収容空間に組み付けられている封止部材と、
封止部材の嵌め部に嵌め設けられている密封部材と、
中央には、封止部材の嵌め部を収容可能な穿孔が設けられており、その外周面には、ガス瓶本体の内ネジ部と螺合する外ネジ部が設けられている固定プラグと、
を含み、
連接部はガス瓶本体と一体成形され、
連接部に固定プラグをねじ込むことにより、固定プラグの底面が密封部材と封止部材の延び部とに押付けて、気密状態になることを特徴とする。
【０００８】
本考案の使捨て式高圧ガス瓶用漏れ防止構造によると、ガス瓶本体の連接部の外周面に外ネジ部が設けられていることを特徴とする。
【０００９】
本考案の使捨て式高圧ガス瓶用漏れ防止構造によると、封止部材は、一体成形され、金属を採用することを特徴とする。
【００１０】
本考案の使捨て式高圧ガス瓶用漏れ防止構造によると、密封部材は金属を採用することを特徴とする。
【００１１】
本考案の使捨て式高圧ガス瓶用漏れ防止構造によると、更に、操作部を含み、操作部は、固定プラグの外周面に設けられていることを特徴とする。
【００１２】
本考案の使捨て式高圧ガス瓶用漏れ防止構造によると、操作部は六角形を呈することを特徴とする。
【考案の効果】
【００１３】
本考案の使捨て式高圧ガス瓶用漏れ防止構造によれば、次のような効果がある。
（１）構造の強度が高く、二重安全漏れ防止効果を有する。
【００１４】
（２）操作が便利であり、構成及び部材の構造が簡単であり、体積が小さく、携帯性が良い。
【図面の簡単な説明】
【００１５】
【図１】本考案に係る使捨て式高圧ガス瓶用漏れ防止構造を示す斜視図である。
【図２】本考案に係る使捨て式高圧ガス瓶用漏れ防止構造を示す分解斜視図である。
【図３】本考案に係る使捨て式高圧ガス瓶用漏れ防止構造の組合済み状態を示す断面図である。
【図４】従来の使捨て式高圧ガス瓶用漏れ防止構造の組合済み状態を示す断面図である。
【考案を実施するための形態】
【００１６】
以下、本考案の実施の形態を図面に基づいて説明する。
【００１７】
図１から図３を参照する。本考案に係る使捨て式高圧ガス瓶用漏れ防止構造は、ガス瓶本体１０と、封止部材２０と、密封部材３０と、固定プラグ４０と、を含む。
【００１８】
ガス瓶本体１０は、高圧ガスを充填可能なガス貯蔵空間１１を有する。ガス瓶本体１０の上端には、ガス瓶本体１０と一体成形される連接部１２が設けられている。連接部１２の内部には、ガス貯蔵空間１１と連通する収容空間１３が設けられている。収容空間１３の内周面に内ネジ部１４が設けられている。収容空間１３の裏底面に押付け面１５が設けられている。
【００１９】
封止部材２０は嵌め部２１を有する。嵌め部２１の連接部１２に向く一端に開口２２が設けられている。嵌め部２１の開口２２の外周縁に延び部２３が設けられている。連接部１２の収容空間１３には、封止部材２０が組み付けられている。
【００２０】
密封部材３０はワシャーである。密封部材３０は、封止部材２０の嵌め部２１に嵌め設けられている。これにより、密封部材３０は、封止部材２０の延び部２３の上面に位置する。
【００２１】
固定プラグ４０は、その中央には、封止部材２０の嵌め部２１を収容可能な穿孔４１が設けられており、その外周面には、ガス瓶本体１０の内ネジ部１４と螺合する外ネジ部４２が設けられている。連接部１２に固定プラグ４０をねじ込むことにより、固定プラグ４０の底面が密封部材３０と封止部材２０の延び部２３とに押付けて、気密状態になる。
【００２２】
ガス瓶本体１０の連接部１２の外周面に外ネジ部１６が設けられている
【００２３】
封止部材２０は、一体成形され、金属を採用する。
【００２４】
密封部材３０は金属を採用する。
【００２５】
更に、操作部４３を含む。操作部４３は、固定プラグ４０の外周面に設けられている。工具（図示せず）により、ユーザは、固定プラグ４０をねじ込み、又は緩めることが可能である。
【００２６】
操作部４３は六角形を呈する。
【００２７】
次に、図１から図３を参照して、本考案に係る使捨て式高圧ガス瓶用漏れ防止構造の使用方法を説明する。ユーザが本考案に係る使捨て式高圧ガス瓶用漏れ防止構造を利用したいときには、一定の位置にガス瓶本体１０の連接部１２を組付けると、封止部材２０の嵌め部２１が破壊されて、ガス瓶本体１０にある高圧ガスにより、自転車とオートバイと乗用車とのタイヤに高圧ガスを充填可能である。本考案に係る使捨て式高圧ガス瓶用漏れ防止構造によれば、操作が便利であり、構成及び部材の構造が簡単であり、体積が小さく、携帯性が良い。
【００２８】
特に、固定プラグ４０がガス瓶本体１０の連接部１２に螺着されているため、固定プラグ４０と連接部１２との間の締付力が良く、固定プラグ４０は連接部１２から離脱しない。連接部１２に固定プラグ４０をねじ込むと、固定プラグ４０の底面が密封部材３０と封止部材２０の延び部２３とに押付けて、気密状態になる。これにより、二重安全漏れ防止効果を得ることが可能であり、高圧ガスの漏れを完全に防止可能であり、全体の構成が簡素である。
【産業上の利用可能性】
【００２９】
本考案は、使捨て式高圧ガス瓶に適用することができる。
【符号の説明】
【００３０】
１０  ガス瓶本体
１１  ガス貯蔵空間
１２  連接部
１３  収容空間
１４  内ネジ部
１５  押付け面
１６  外ネジ部
２０  封止部材
２１  嵌め部
２２  開口
２３  延び部
３０  密封部材
４０  固定プラグ
４１  穿孔
４２  外ネジ部
４３  操作部
５０  ガス瓶本体
５１  瓶口部
５２  収容空間
５３  止め用凸縁
６０  プラグ
６１  封止片
７０  Ｏリング
【図１】
0003206945.tif 000003
【図２】
0003206945.tif 000004
【図３】
0003206945.tif 000005
【図４】
0003206945.tif 000006